(57)【要約】【課題】合成開口レーダ信号処理装置について、レンジ方向の観測幅拡大に伴い、各レンジ間の画像化条件の違いが顕著になり、画像化の効率が悪くなるという問題があった。【解決手段】レンジ方向にサブパッチ分割を行い、各サブパッチについて合成開口長とアジマス方向の画像化長を計算するパラメータ計算部３と、各サブパッチ画像について画像化を行うタイミングを決定するタイミング制御部４を設け、サブパッチ画像毎にアジマス方向のビーム照射幅を有効に利用するようにした。また、サブパッチ画像毎に画像化を行う信号処理装置５を設け、効率よく画像化を行えるようにした。【選択図】        図１
2004191052.tif 000002
【特許請求の範囲】
【請求項１】
移動する飛行体に搭載された合成開口レーダ（ＳＡＲ）によって得られるＳＡＲ画像生成用パルスデータ及び飛行体の慣性データを入力するデータ入力部と、
ＳＡＲ画像生成に用いるパラメータをレンジ方向のサブパッチ画像毎に計算するパラメータ計算部と、
上記パラメータ計算部により得られたパラメータに基づきサブパッチ画像毎に画像生成処理の開始及び終了を決定するタイミング制御部と、
上記パラメータ計算部によって得られるパラメータ、並びにタイミング制御部によって得られるタイミングに基づき上記データ入力部から継続して入力されるパルスデータをサブパッチ画像毎に画像生成処理を行う信号処理装置と、
上記信号処理装置より継続して得られる複数のサブパッチ画像をその位置に応じて表示する画像表示装置とを備えたことを特徴とする合成開口レーダ信号処理装置。
【請求項２】
上記パラメータ計算部は、レンジ方向の各サブパッチ画像毎に最も遠いレンジを計算してそれぞれのサブパッチ画像を生成するために必要となるサブパッチ画像毎の飛行体の移動距離を計算し、アジマス方向のビーム照射幅と上記サブパッチ画像毎の移動距離から各サブパッチ毎に画像化可能なアジマス方向の画像長を計算することを特徴とする請求項１記載の合成開口レーダ信号処理装置。
【請求項３】
上記タイミング制御部は、上記データ入力部から継続して入力される各パルスデータが得られた時点の飛行体の慣性データから各パルスデータを得た飛行体の自機位置を計算し、
上記パラメータ計算部より得られる各サブパッチ画像のアジマス方向のそれぞれの画像長に飛行体が達した時点で当該サブパッチ画像の次の同一レンジのサブパッチ画像を得る画像生成処理開始を決定することを特徴とする請求項１記載の合成開口レーダ信号処理装置。
【請求項４】
上記タイミング制御部は、上記データ入力部から継続して入力される各パルスデータが得られた時点の飛行体の慣性データから各パルスデータを得た飛行体の自機位置を計算し、
上記パラメータ計算部より得られる各サブパッチ画像を生成するために必要となる飛行体の移動距離に飛行体が達した時点で当該サブパッチ画像に必要なパルスデータの入力が終了したことを決定することを特徴とする請求項１記載の合成開口レーダ信号処理装置。
【請求項５】
上記入力データ部より継続して入力されるパルスデータをレンジ方向に高解像度化するためにレンジ圧縮を行うレンジ圧縮処理と、レンジ圧縮後の各パルスデータをレンジ方向にサブパッチ分割を行うサブパッチ分割処理と、各サブパッチデータ毎に上記タイミング制御部より得ることができる各パルスデータ毎の飛行体の自機位置を用いてストリップマップ方式による自機動揺補償、レンジ補間、アジマス補間、アジマス圧縮を行い画像化する信号処理装置を備えたことを特徴とする請求項１記載の合成開口レーダ信号処理装置。
【請求項６】
上記入力データ部より継続して入力されるパルスデータをレンジ方向にサブパッチ分割を行うサブパッチ分割処理と、
各サブパッチデータ毎にレンジ方向に高解像度化するためにレンジ圧縮を行うレンジ圧縮処理と、
レンジ圧縮後の各サブパッチデータ毎に上記タイミング制御部より得ることができる各パルスデータ毎の飛行体の自機位置を用いてストリップマップ方式による自機動揺補償、レンジ補間、アジマス補間、アジマス圧縮を行い画像化する信号処理装置を備えたことを特徴とする請求項１記載の合成開口レーダ信号処理装置。
【請求項７】
上記サブパッチ分割以降の処理をサブパッチ画像毎に並列処理を行うことを特徴とする請求項５もしくは請求項６のいずれかに記載の信号処理装置。
【請求項８】
上記信号処理装置より得られる各サブパッチ画像を保存するバッファ領域を備え、
上記バッファ領域上の画像を表示するディスプレイ装置とを有する画像表示装置を備えたことを特徴とする請求項１記載の合成開口レーダ信号処理装置。
【請求項９】
上記信号処理装置より得られる各サブパッチ画像を、これら画像が得られた時点で画像の位置座標に基づきアジマス方向、並びにレンジ方向に連続するよう画像を揃える画像位置演算部を備え、
上記バッファ領域からディスプレイ装置へ少なくとも一度で表示することを特徴とする請求項８記載の合成開口レーダ信号処理装置。
【請求項１０】
上記信号処理装置より得られる各サブパッチ画像を、上記タイミング制御部より得ることができる飛行体の自機位置に応じたアジマス方向の移動距離に相当するアジマス方向の画像領域とレンジ方向全サブパッチ分の画像領域を切り出す画像位置選択部を備え、
上記バッファ領域から上記ディスプレイ装置へ逐次表示することを特徴とする請求項８記載の合成開口レーダ信号処理装置。
【発明の詳細な説明】
【０００１】
【発明の属する技術分野】
この発明は、移動する飛行体に搭載される合成開口レーダ（Ｓｙｎｔｈｅｔｉｃ  Ａｐｅｒｔｕｒｅ  Ｒａｄａｒ、以下ＳＡＲとも記述する）によって得られるＳＡＲ画像生成用パルスデータを画像化して表示する合成開口レーダ信号処理装置に関するものである。
【０００２】
【従来の技術】
リモートセンシングの分野において、航空機や衛星などの移動する飛行体に搭載し、資源探査や環境調査、偵察などを目的とした合成開口レーダ信号処理装置が実用化されている。
【０００３】
このような合成開口レーダ信号処理装置において、アジマス方向にビームを複数照射することによりアジマス方向に高分解能化すると同時に、レンジ方向の観測幅拡大を行うマルチビーム合成開口レーダに関する技術が知られている（例えば、非特許文献１）。
【０００４】
【非特許文献１】
藤坂貴彦他著「アジマス方向高分解能化とレンジ方向観測幅拡大を可能とするマルチビーム合成開口レーダ」、電子情報通信学会論文誌Ｖｏｌ．  Ｊ８２−Ｂ  Ｎｏ．１２、１９９９年１２月、ｐ．２３４５−２３５４
【０００５】
【発明が解決しようとする課題】
すなわち、上記で述べられているようなアジマス方向のマルチビーム化などにより、アジマス方向の解像度を高分解能化しつつレンジ方向の観測幅拡大を行うと、アジマス方向のビーム照射幅はレンジが遠くなるに従って拡がりが大きくなるので、各レンジにおけるアジマス方向のビーム照射幅の違いが顕著になり、長方形領域の画像化を基本とする現在の信号処理装置では、画像化の対象となる最も近いレンジのアジマス方向のビーム照射幅に合わせたアジマス長分の画像化を行うため、遠いレンジでビームが照射されており、本来画像化が可能な領域であるにもかかわらず一度の信号処理で画像化が行われず、効率が悪いという問題がある。
【０００６】
また、同様にアジマス方向の解像度を高分解能化しつつレンジ方向の観測幅拡大を行うと、各レンジにおいて所望のアジマス分解能を得るために必要となる飛行体の移動距離（以降、合成開口長）はレンジが遠くなるに従って長くなるので、各レンジにおいて必要となる合成開口長の違いが顕著になり、長方形領域の画像化を基本とする現在の信号処理装置では、画像化の対象となる最も遠いレンジの合成開口長を利用して全レンジの画像化を行うため、近いレンジにおいて画像化に必要な合成開口長に飛行体が達しているにも関わらず、画像化が直ちに行われないという問題があるだけでなく、近いレンジにおいて本来画像化可能な領域であるにもかかわらず一度の信号処理で画像化が行われず、効率が悪いという問題がある。
【０００７】
さらに、同様にアジマス方向の解像度を高分解能化しつつレンジ方向の観測幅拡大を行うと、アジマス方向のビーム照射幅はレンジが近くなるに従って狭くなることから、長方形領域の画像化を基本とする現在の信号処理装置では、画像化の対象となる最も遠いレンジで必要となる合成開口長を利用して全レンジの画像化を行うため、飛行体が最も遠いレンジの合成開口長分を飛行する間、近いレンジにおいて継続してビームが照射されない領域が出てくる可能性があり、各レンジで必要となる合成開口長を用いれば、本来画像化可能な近いレンジの領域が画像化できないことになるという問題がある。
【０００８】
この様な従来の技術などにより、アジマス方向の解像度を高分解能化しつつレンジ方向の観測幅を拡大する目的で、長方形領域の画像化を基本とする現在の信号処理装置を用いて画像化を行うには、レンジによって異なる画像化条件について配慮する余地がある。特に、リアルタイム性が求められる運用における画像化処理においては、効率よい処理方式が必要となるが、レンジによって異なる画像化条件を考慮に入れて画像化処理の効率化を行う装置は実現化されていない。
【０００９】
この発明は、係る課題を解決するためになされたものであり、レンジ方向に観測幅が拡大した場合にも、各レンジにおけるアジマス方向のビーム照射幅に応じて効率よく画像化の信号処理を行わせ、継続して画像を得ることを目的とする。また、レンジ方向に観測幅が拡大した場合にも、各レンジにおける合成開口長に応じて効率よく画像化の信号処理を行わせ、継続して画像を得ることを目的とする。
【００１０】
【課題を解決するための手段】
この発明に係る合成開口レーダ信号処理装置は、移動する飛行体に搭載された合成開口レーダ（ＳＡＲ）によって得られるＳＡＲ画像生成用パルスデータ及び飛行体の慣性データを入力するデータ入力部と、ＳＡＲ画像生成に用いるパラメータをレンジ方向のサブパッチ画像毎に計算するパラメータ計算部と、パラメータ計算部により得られたパラメータに基づきサブパッチ画像毎に画像生成処理の開始及び終了を決定するタイミング制御部と、パラメータ計算部によって得られるパラメータ、並びにタイミング制御部によって得られるタイミングに基づきデータ入力部から継続して入力されるパルスデータをサブパッチ画像毎にＳＡＲ画像生成処理を行う信号処理装置と、信号処理装置より継続して得られる複数のサブパッチ画像をその位置に応じて表示する画像表示装置とを備えたものである。
【００１１】
【発明の実施の形態】
実施の形態１．
図１は、実施の形態１における合成開口レーダ信号処理装置の構成を示している。図に記載する合成開口レーダ１は、レーダパルスを送受信するアンテナや、飛行体の慣性データを計測する慣性センサ装置などによって構成されるが、ここではこの発明の要旨とする部分を説明するために詳細な構成は省略する。
【００１２】
合成開口レーダ１は後述する飛行体８に搭載され、ＳＡＲ画像生成用のパルスデータ及び飛行体８の慣性データを継続して観測を行い、合成開口レーダ信号処理装置７を構成するデータ入力部２へ出力する。
【００１３】
データ入力部２は、合成開口レーダ１によって観測されたパルスデータ及び飛行体８の慣性データを継続して入力し、飛行体８の慣性データをタイミング制御部４へ、パルスデータを信号処理装置５へそれぞれ出力する。
【００１４】
パラメータ計算部３はレンジ方向に分割される各サブパッチ画像毎の合成開口長及びアジマス方向の画像長を含めた画像化に必要なパラメータを計算してタイミング制御部４及び信号処理装置５へ出力する。
【００１５】
タイミング制御部４は、パラメータ計算部３から入力されるレンジ方向に分割された各サブパッチ画像の合成開口長及びアジマス方向の画像長に基づき、データ入力部２から継続して入力される慣性データより飛行体８の自機位置計算を行うことによって、各サブパッチ画像がアジマス方向に連続して出力されるように画像化処理を開始するタイミングを決定するとともに、各サブパッチ画像の画像化に必要なパルスデータの入力が終了するタイミングを決定し、信号処理装置５へ出力する。
また、タイミング制御部４によって計算されるパルスデータ毎の飛行体８の自機位置は継続して信号処理装置５へ出力する。
【００１６】
信号処理装置５は、データ入力部２、パラメータ計算部３、タイミング制御部４からそれぞれ入力される各データを用いて、レンジ方向に分割されたサブパッチ画像を、各々のサブパッチ画像についてタイミング制御部４より入力される画像化処理を開始するタイミングに従い、ストリップマップポーラフォーマット方式によって生成する信号処理を行い、生成されたサブパッチ画像及びタイミング制御部３より入力される飛行体の自機位置を画像表示装置６へ出力する。
【００１７】
画像表示装置６は、信号処理装置５より入力されたサブパッチ画像及び飛行体８の自機位置を用いて複数のサブパッチ画像をレンジ方向及びアジマス方向に揃えて連続するようにしてディスプレイ装置へ画像の表示を行う。
以上説明したデータ入力部２、パラメータ計算部３、タイミング制御部４、信号処理装置５、画像表示装置６により、この実施の形態による合成開口レーダ信号処理装置７を構成する。
【００１８】
図２は、パラメータ計算部３が計算を行うレンジ方向に分割された各サブパッチ画像の合成開口長とアジマス方向の画像長の詳細について示している。合成開口レーダ１を搭載した飛行体８が観測を開始した位置を基準点Ｏとし、レンジ方向をＸ軸、飛行体８の進行方向であるアジマス方向をＹ軸とした座標系を設定し、画像化を行うレンジ範囲１３をレンジ方向に３つにサブパッチ分割を行った例を用いて説明する。
【００１９】
図２では、Ｘ座標Ｘ０〜Ｘ１間のレンジ範囲のサブパッチ画像９を得るために、飛行体８は基準点ＯからＹ座標Ｙ１まで移動する必要があることを示している。この移動距離Ｙ１はサブパッチ画像９の最も遠いレンジ距離であるレンジＸ１を画像化するために必要となる合成開口長であり、レンジＸ１及び画像化が行われるアジマス分解能などによって計算される。ここで合成開口長は、アジマス分解能が一定であれば、画像化を行うレンジ範囲の最も遠いレンジ距離に比例して長くなる性質を持つ。
【００２０】
また、図２ではサブパッチ画像９のアジマス方向の画像長がＬ１になることを示している。ここで画像長Ｌ１は、飛行体８が照射する基準点Ｏにおけるビーム照射範囲１４と、飛行体８がサブパッチ画像９を得るために必要となる合成開口長分を移動したＹ座標Ｙ１におけるビーム照射範囲１５と、サブパッチ画像９の最も近いレンジ距離であるレンジＸ０によって計算される。ここでアジマス方向の画像長は、飛行体８が合成開口長分を飛行する間、常にビームが照射されている範囲によって計算され、各レンジにおけるアジマス方向のビーム照射幅が一定であれば合成開口長に反比例して短くなり、かつ、画像化を行うレンジ範囲の最も近いレンジ距離に比例して長くなる性質を持つ。
【００２１】
以上のように、パラメータ計算部３はＸ座標Ｘ０〜Ｘ１間のサブパッチ画像９とそれに続く同一レンジ範囲のサブパッチ画像を得るために必要となる合成開口長Ｙ１とアジマス方向の画像長Ｌ１を計算する。同様に、Ｘ座標Ｘ１〜Ｘ２間のサブパッチ画像１０とそれに続く同一レンジ範囲のサブパッチ画像を得るためにレンジＸ２を用いて必要となる合成開口長Ｙ２と、Ｙ座標Ｙ２におけるビーム照射範囲１６を用いてアジマス方向の画像長Ｌ２を計算し、また、同様にＸ座標Ｘ２〜Ｘ３間のサブパッチ画像１１とそれに続く同一レンジ範囲のサブパッチ画像を得るためにレンジＸ３を用いて必要となる合成開口長Ｙ３と、Ｙ座標Ｙ３におけるビーム照射範囲１７を用いてアジマス方向の画像長Ｌ３を計算する。
計算結果は全てタイミング制御部４及び信号処理装置５へ出力する。
【００２２】
既に述べたように、合成開口長は画像化を行うレンジ範囲の最も遠いレンジ距離に比例して長くなるので、サブパッチ画像９、１０、１１とレンジ距離が遠くなるに従ってパラメータ計算部３によって計算される合成開口長はＹ１、Ｙ２、Ｙ３と長くなる。また、各サブパッチ画像のアジマス方向の画像長は、各サブパッチに必要となる合成開口長が長くなるにつれて狭くなる常にビームが照射されている範囲に影響され、かつ、各サブパッチ画像の最も近いレンジ距離に比例して長くなるので、各サブパッチ画像についてパラメータ計算部３によって計算されるアジマス方向の画像長Ｌ１、Ｌ２、Ｌ３の長さは揃わない。
【００２３】
一方、図２において画像１２はレンジ方向にサブパッチ分割せずに、上記と同一レンジ範囲１３を画像化した場合を示している。また、たとえサブパッチ分割を行い画像化を行った場合でも、サブパッチ画像毎の合成開口長の計算とアジマス方向の画像長の計算を行わなければ、これらサブパッチ画像を連結した結果、同様の画像１２が得られる。ここで画像１２の合成開口長はレンジＸ３を用いて計算されるためサブパッチ画像１１と同様のＹ３となるが、アジマス方向の画像長はＹ座標Ｙ３におけるビーム照射範囲１７とビーム照射範囲１４、及び画像化を行うレンジ範囲１３の最も近いレンジＸ０を用いて計算されるため、非常に短いＬ０となる。
【００２４】
後述するが、パラメータ計算部３において計算されるアジマス方向の画像長は、タイミング制御部４において決定される画像化処理開始の間隔と信号処理装置５における処理負荷に大きく影響する。
【００２５】
図３は、タイミング制御部４が行うレンジ方向に分割された各サブパッチ画像毎の画像生成処理の開始及び終了のタイミング決定の詳細について示している。ここでは、図２におけるサブパッチ画像９とそれに続く同一レンジ範囲のサブパッチ画像を得る場合を例にして説明する。
【００２６】
図３では、飛行体８が観測を開始した位置である基準点Ｏは、サブパッチ画像９を得るために画像生成処理を開始するＹ座標Ｓ０と同じであることを示している。また図３では、既に図２で示したようにサブパッチ画像９を得るための合成開口長はＹ１、及びアジマス方向の画像長はＬ１であり、飛行体８がＹ座標Ｓ０からＹ座標Ｙ１を移動する間、継続して観測されるパルスデータ全てがアジマス方向の画像長Ｌ１のサブパッチ画像９を得るために必要となることも示している。
【００２７】
また図３では、サブパッチ画像９に続いて同一レンジ範囲のサブパッチ画像１８を得る場合、飛行体８がＹ座標Ｓ１からＹ座標Ｙ４まで移動する必要があることを示している。Ｙ座標Ｓ１は前のサブパッチ画像９の画像化処理開始位置Ｓ０からアジマス方向の画像長Ｌ１分を移動した距離となる。また、Ｙ座標Ｙ４はサブパッチ画像１８を得るためにＹ座標Ｓ１から画像化処理を開始していることから、Ｙ座標Ｓ１から合成開口長Ｙ１分を移動した距離となる。飛行体８のＹ座標Ｓ１及びＹ座標Ｙ４にある時のそれぞれの位置におけるビーム照射範囲１９及びビーム照射範囲２０と、画像化を行うレンジ範囲の最も近いレンジ距離Ｘ０との関係から、サブパッチ画像１８はサブパッチ画像９に続いてアジマス方向に連続した画像になる。
【００２８】
画像化を行うレンジ範囲やアジマス分解能などの条件が変化しなければ、パラメータ計算部３が出力する同一レンジ範囲において、連続して生成されるサブパッチ画像の合成開口長及びアジマス方向の画像長は変化しないため、サブパッチ画像１８以降のサブパッチ画像を得る場合の合成開口長及びアジマス方向の画像長はサブパッチ画像９と同一である。
【００２９】
以上のことから、タイミング制御部４は、あるサブパッチ画像とそれに続く同一レンジ範囲のサブパッチ画像の画像化処理を開始するために、あるサブパッチ画像の画像化処理開始位置からアジマス方向の画像長分を飛行体８が移動すると、次のサブパッチ画像の処理開始を決定して信号処理装置５へ次のサブパッチ画像の画像化処理を開始することを出力する。また同時に、あるサブパッチ画像の画像化処理開始位置から合成開口長分を飛行体８が移動すると、該当するサブパッチ画像の画像化処理に必要となるパルスデータの入力が終わったことを信号処理装置５へ出力する。タイミング制御部４は、係る処理をレンジ方向に分割されている全てのサブパッチ画像分について飛行体８の移動分に応じて行う。
ここで、飛行体８の移動距離は、データ入力部２から継続して入力される慣性データによって計算できる自機位置により導出される。またここで計算される飛行体８の自機位置はパルスデータ毎に信号処理装置５へ出力される。
【００３０】
この例では、アジマス方向の画像長に対して合成開口長が長いため、ある時点、例えば図３において、Ｙ座標Ｓ１からＹ座標Ｙ１において観測されるパルスデータは、アジマス方向に分かれる２つのサブパッチ画像を生成するために利用される。後述する信号処理装置５においては、１つの入力パルスデータに対して２通りの処理を行う必要が出てくるため負荷が増大することを示している。
【００３１】
さらに、図２で示したようにパラメータ計算部３において行うレンジ方向のサブパッチ毎に合成開口長の計算を行わなず、画像化レンジ範囲１３の最も遠いレンジ距離のみで合成開口長を計算し、最も近いレンジ距離でアジマス方向の画像長を計算することにより、アジマス方向の画像長Ｌ０が合成開口長Ｙ３に対して極端に短くなり、後述する信号処理装置５においては、１つのパルスデータに対してアジマス方向の複数のサブパッチ画像についてそれぞれ処理を行う必要が出てくるため非常に負荷が増大する。
【００３２】
図４は、この実施の形態において信号処理装置５が行うレンジ方向にサブパッチ分割された各サブパッチ画像を生成する処理手順をＰＡＤ図で示している。以下、図４に示したＰＡＤ図を用いて信号処理装置５における処理手順を説明する。
【００３３】
信号処理装置５は、データ入力２１においてデータ入力部２、パラメータ計算部３、タイミング制御部４からパルスデータ、画像化に用いるパラメータ、画像化のタイミング、飛行体８の自機位置を入力する。データ入力処理２１はパルスデータ毎に引き続いて行われる処理を起動する。
【００３４】
次にレンジ圧縮２２では、データ入力２１で入力されたパルスデータのレンジ方向の解像度を上げるレンジ圧縮処理を行う。次にレンジ方向のサブパッチ分割２３では、レンジ圧縮されたパルスデータをレンジ方向にサブパッチ分割を行う。次に、レンジ方向のサブパッチ数分のループ２４において引き続き行われる処理をレンジ方向のサブパッチ数分起動する。
【００３５】
画像処理開始分岐２５では、タイミング制御部４によって決定される該当するレンジ方向に分割されたサブパッチの画像化処理が行われるかどうかの情報により、画像処理を開始するならば、処理２６において該当するレンジ方向に分割されたサブパッチにおいて、処理中であるアジマス方向のサブパッチ数を１加算する。
【００３６】
次に、処理中のアジマス方向のサブパッチ数分のループ２７では、該当するレンジ方向に分割されたサブパッチで処理が行われているアジマス方向のサブパッチ数分、引き続き行われる該当サブパッチ画像の画像化処理を起動する。
【００３７】
次に、自機動揺補償２８、レンジ補間２９、アジマス補間３０と続く処理では、ストリップマップ方式に従い、タイミング制御部４より入力される自機位置を用いて補償及び補間処理を行う。ここで、この３つの処理方式の詳細は割愛する。
【００３８】
次にデータ終了分岐３１ではタイミング制御部４によって決定される、該当するサブパッチ画像の生成に用いられるパルスデータが合成開口長に達したのでデータ入力が終了したかどうかの情報により、データ終了ならば、アジマス圧縮３２以降の処理を実行する。データ終了でない場合、該当するサブパッチ画像のアジマス圧縮３２を行うためにアジマス補間３０まで処理を行ったデータをメモリ領域に保存し、ループ中の処理２７、２４、２１のいずれかを継続する。
【００３９】
次にアジマス圧縮３２では、上記メモリ領域に保存された該当サブパッチ画像のアジマス方向の画像化を行うアジマス圧縮処理を各レンジ毎に行う。アジマス圧縮処理により生成された画像は、画像出力３３により画像表示装置６へ出力される。次に処理３４において処理中のアジマス方向のサブパッチ数を１減算する。
ここで、タイミング制御部４より入力される自機位置は、画像と共に画像表示装置６へ出力される。
以上のように、信号処理装置５では、継続して入力されるパルスデータの画像化処理を各サブパッチ画像について行う。
【００４０】
また、レンジ方向のサブパッチ数分のループ処理２４以降の各レンジ方向のサブパッチ画像化処理は、複数の演算処理ハードウェアによって信号処理装置５が構成されていれば、各サブパッチ画像の画像化処理を、複数の演算処理ハードウェアによって並列して行う。
【００４１】
図５は、この実施の形態において画像表示装置６の動作を示している。図５において、画像表示装置６は、信号処理装置５から入力されるサブパッチ画像を保存するバッファ領域３５と、入力された画像についてディスプレイ装置へ表示する位置を計算する画像位置演算部３６と、画像位置演算部３６によって得られる位置に基づきバッファ領域３５上のサブパッチ画像を表示するディスプレイ装置３７から構成されることを示している。
【００４２】
図５では、飛行体８の進行方向であるアジマス方向を左から右、レンジ方向を下から上に設定し、複数のサブパッチ画像３８を表示している。画像表示装置６は、信号処理装置５から入力されるサブパッチ画像をバッファ領域３５へ保存し、入力された各サブパッチ画像の位置及び大きさと、同じく信号処理装置５から入力される自機位置によりアジマス方向、並びにレンジ方向に各サブパッチ画像が連続するようにディスプレイ装置上の表示位置を画像位置演算部３６によって計算し、ディスプレイ装置３７は画像位置演算部３６によって得られた位置に基づきバッファ領域３５に保存された画像の表示を行う。
【００４３】
この例では、サブパッチ画像が出力される順番は、飛行体の進行方向に対して手前のサブパッチ画像ＧａからＧｂ、Ｇｃ、Ｇｄ、Ｇｅ、Ｇｆ、…という順序で信号処理装置５から入力されるので、この順番の通りにディスプレイ装置３７に出力されている。
また、この例では、左右にアジマス方向、上下にレンジ方向を設定したが、それぞれ逆向きに表示を行ってもよいし、左右にレンジ方向、上下にアジマス方向を設定して表示を行ってもよい。
【００４４】
この実施の形態によれば、画像化を行うレンジ方向のサブパッチ画像毎に合成開口長及びアジマス方向の画像長の計算を行うパラメータ計算部３を設けたことにより、サブパッチ画像毎のアジマス方向のビーム照射幅を有効に利用して、アジマス方向により広い範囲の画像を得る画像生成を行なうことが可能となる。
【００４５】
さらに、サブパッチ画像毎に画像処理開始を決定するタイミング制御部４を設けたことにより、サブパッチ画像毎のアジマス方向のビーム照射幅を有効に利用してアジマス方向に連続した一連のサブパッチ画像を得る画像生成を行うことが可能となる。
【００４６】
また、サブパッチ画像毎に画像処理終了を決定するタイミング制御部４を設けたことにより、サブパッチ画像毎に画像を表示することが可能になるだけではなく、該当するサブパッチ画像の画像生成に利用するパルスデータの入力終了が明確になり、信号処理装置５の処理負荷を下げることができる。
【００４７】
特に、パラメータ計算部３よって計算されるサブパッチ画像毎のアジマス方向の画像長が長くなることにより、タイミング制御部４によって決定される引き続き行われるサブパッチ画像の画像処理開始の間隔が長くなり、信号処理装置５の処理負荷を下げることができる。
さらに、レンジ方向の画像化範囲が長い場合で、画像生成に必要な合成開口長が長くなることにより、近いレンジにおいて常にビームが照射される幅が狭くなり、画像化が行えなくなるような場合にも、レンジ方向にサブパッチ分割を行い、パラメータ計算部３によってサブパッチ画像毎の合成開口長とアジマス方向の画像長を得ることにより、この近いレンジにおける画像化が可能となる。
【００４８】
さらに、信号処理装置５を設けたことにより、パラメータ計算部３及びタイミング制御部４からの入力によりサブパッチ画像毎に画像を生成することが可能となる。
【００４９】
また、複数の演算処理ハードウェアによって実現される信号処理装置５により、各サブパッチ画像の画像生成を並列に行うことが可能であり、より高速に画像を得ることができる。
【００５０】
さらに、信号処理装置５が生成する各サブパッチ画像をバッファ領域３５に保存し出力する画像表示装置６を設けたことにより、継続して信号処理装置５から出力されるサブパッチ画像を途切れることなく表示することができる。
【００５１】
特に、信号処理装置５によって出力される各サブパッチ画像の位置と大きさに応じてディスプレイ装置に出力する表示位置を計算する画像位置演算部３６を設けたことによって、サブパッチ画像毎に大きさや位置の異なる信号処理装置５の出力画像を、アジマス方向、並びにレンジ方向に連続した画像として表示することができる。
【００５２】
実施の形態２．
実施の形態１における信号処理装置５の処理手順を示した図４において、レンジ圧縮２２の後、レンジ方向のサブパッチ分割２３を行っているが、サブパッチ分割後のパルスデータ毎にレンジ圧縮処理が可能であれば、この順序を入れ替えても同じ効果を得ることができる。
【００５３】
さらに、この実施の形態２によればレンジ圧縮２２をサブパッチ毎に処理することになることから並列処理が可能となり、複数の演算処理ハードウェアによって構成された信号処理装置５によってより高速に画像を得ることができる。
【００５４】
実施の形態３．
上記実施の形態１もしくは実施の形態２において、画像表示装置６を図６に示すような画像表示装置３９に置き換えることができる。
図６においてこの実施の形態における画像表示装置３９の動作を説明する。
【００５５】
図６において、画像表示装置３９は、信号処理装置５から入力されるサブパッチ画像を保存するバッファ領域３５と、入力された画像についてその位置と大きさ及び飛行体８の移動距離に応じてディスプレイ装置へ表示する位置を計算し、さらに、バッファ領域３５上の画像をレンジ方向に連結して出力できるように画像を切り出す位置を計算する画像位置選択部４０と、画像位置選択部４０によって得られる表示位置及び画像の切り出し位置に基づきバッファ領域３５上の各サブパッチ画像から画像を切り出し表示するディスプレイ装置４１から構成されていることを示している。
【００５６】
図６では、飛行体８の進行方向であるアジマス方向を左から右、レンジ方向を下から上に設定し、ストリップ状の複数の画像４２を表示している。画像表示装置３９は、信号処理装置５から入力されるサブパッチ画像をバッファ領域３５へ保存し、入力された各サブパッチ画像の位置及び大きさと、同じく信号処理装置５から入力される自機位置によりアジマス方向、並びにレンジ方向に各サブパッチ画像が連続するようにディスプレイ装置上の表示位置を計算するだけでなく、飛行体８の移動距離に応じたアジマス方向の画像長分をレンジ方向に連結して、ディスプレイ装置上へ表示できるような切り出し位置の計算を画像位置選択部４０によって行い、ディスプレイ装置４１は画像位置選択部４０によって得られた表示位置と切り出し位置に基づき、バッファ領域３５に保存された画像の表示を行う。
【００５７】
この例では、左右にアジマス方向、上下にレンジ方向を設定したが、それぞれ逆向きに表示を行ってもよいし、左右にレンジ方向、上下にアジマス方向を設定して表示を行ってもよい。また、ストリップ状の画像Ｇ１、Ｇ２、Ｇ３とそれ以降を続けてディスプレイ装置４１へ表示する各ストリップ状画像の表示時間の間隔は、画像表示装置３９を構成するバッファ領域３５の大きさや画像位置選択部４０の演算性能及びディスプレイ装置４１の表示速度などの装置を実現するハードウェア性能を上限として、画像を見る人間によって決めることができるようにしてもよい。
【００５８】
この実施の形態３によれば、飛行体の移動距離に応じた画像を表示する画像表示装置３９を設けたことにより、飛行体の移動と画像の関係をより明確に表現することができる。信号処理装置においてレンジ方向に分割して画像化を行うことは画像化処理の都合であり、最終的に画像を見る人間にとっては、飛行体の移動距離に応じてストリップ状の全レンジ方向の画像が逐次表示される方がより自然で理解しやすいことは明らかである。
【００５９】
【発明の効果】
この発明によれば、レンジ方向の画像化範囲が長くなった場合でもアジマス方向のビーム照射範囲を有効に利用し、かつ画像化の信号処理の負荷を下げてＳＡＲ画像を得ることができるため、効率のよい合成開口レーダ信号処理装置が実現できる。
【図面の簡単な説明】
【図１】この発明の実施の形態１による合成開口レーダ信号処理装置の構成を説明するための図である。
【図２】この発明の実施の形態１によるパラメータ計算部を説明するための図である。
【図３】この発明の実施の形態１によるタイミング制御部を説明するための図である。
【図４】この発明の実施の形態１による信号処理装置を説明するための図である。
【図５】この発明の実施の形態１による画像表示装置を説明するための図である。
【図６】この発明の実施の形態３による画像表示装置を説明するための図である。
【符号の説明】
１  合成開口レーダ、２  データ入力部、３  パラメータ計算部、４  タイミング制御部、５  信号処理装置、６  画像表示装置、７  合成開口レーダ信号処理装置、８  飛行体、３５  バッファ領域、３６  画像位置演算部、３７  ディスプレイ装置、３９  画像表示装置、４０  画像位置選択部、４１  ディスプレイ装置
【図１】
2004191052.tif 000003
【図２】
2004191052.tif 000004
【図３】
2004191052.tif 000005
【図４】
2004191052.tif 000006
【図５】
2004191052.tif 000007
【図６】
2004191052.tif 000008